(57)【要約】【課題】室外機のブレーカを探す必要がなく、容易にサービス及びメンテナンス可能な電源リセット方法を提供する。【解決手段】室外機異常検知部１３が異常検知を行った後、室外機ＣＰＵ１２はリセットスイッチ入力信号許可状態となる。次に室外リセットスイッチ１１が押されることで、室外機ＣＰＵ１２はリセットスイッチ入力信号許可状態で室外リセットスイッチ１１からリセット入力信号を受け、室外機リセット信号送信部１４にリセット信号を送信すると共に、室外機電源オフ部１５に電源オフ信号を出力し、室外機の電源をリセットする。また、室内機リセット信号受信部２２は、室内機リセット信号を室内機ＣＰＵ２１に通知し、室内機ＣＰＵ２１は室内機電源オフ部２３に電源オフ信号を出力し、室内機の電源をリセットする。【選択図】図１
2009068791.tif 000002
【特許請求の範囲】
【請求項１】
室外リセットスイッチを備え、前記室外リセットスイッチを押すことで、室外機及び室内機の電源をオフできることを特徴とする空気調和機。
【請求項２】
室内リセットスイッチを備え、前記室内リセットスイッチを押すことで、室外機及び室内機の電源をオフできることを特徴とする空気調和機。
【請求項３】
リモコンリセットスイッチを備え、前記リモコンリセットスイッチを押すことで、室外機及び室内機の電源をオフできることを特徴とする空気調和機。
【発明の詳細な説明】
【技術分野】
【０００１】
本発明は分散配置型空気調和機における電源リセット方法に関するものである。
【背景技術】
【０００２】
従来、この種の電源リセット方法としては、例えば室外機の異常発生による異常情報を受け取った後、室外機の電源リセットにて異常条件がなくなり異常情報を受けなくなったことで、室内機がリセットし、異常解除となるものがあった（特許文献１参照）。
【０００３】
図４は、特許文献１に記載された空気調和機の構成を示す概略図である。図９に示すように、室外機Ａと、室外機制御部１０と、室内機Ｂ０１〜Ｂ０３と室内機制御部２０とから構成されている。
【特許文献１】特開平８−４９９０３号公報
【発明の開示】
【発明が解決しようとする課題】
【０００４】
しかしながら、前記従来の構成では、室外機制御部１０が電源リセットすることで、室外機Ａの保護内容が解除され、室内機Ｂ０１〜Ｂ０３が異常情報を受信しなくなり、室内機Ｂ０１〜Ｂ０３がリセットする構成であることから、室外機のブレーカーを探す必要があり、多数の空気調和機が設置されている現場では、ブレーカの場所が分からず、サービス及びメンテナンスに多くの時間を要していた。
【０００５】
本発明は、前記従来の課題を解決するもので、室外機のブレーカを探す必要がなく、容易にサービス及びメンテナンス可能な電源リセット方法を提供することを目的とする。
【課題を解決するための手段】
【０００６】
前記従来の課題を解決するために、本発明の空気調和機は、室外機にリセットスイッチを設け、リセットスイッチを押すことで、室外機及び室内機の電源がリセット可能としたものである。
【０００７】
これによって、室外機のブレーカを探すことなく、容易にサービス及びメンテナンス可能となる。
【発明の効果】
【０００８】
本発明の空気調和機は、室外機にリセットスイッチを設け、サービスマンがリセットスイッチを押すことで、室外機及び室内機の電源をリセットすることができる。
【発明を実施するための最良の形態】
【０００９】
第１の発明は、室外機にリセットスイッチを設け、サービスマンが室外機のリセットスイッチを押すことで、室外機がリセット信号を室内機に送信することで、室外機及び室内機の電源をリセットすることができる。
【００１０】
第２の発明は、特に第１の発明において、リセットスイッチを室内機に設け、サービスマンが室内機のリセットスイッチを押すことで、室内機がリセット信号を室外機に送信することで、室外機及び室内機の電源をリセットすることができる。
【００１１】
第３の発明は、特に、第１または第２の発明において、リセットスイッチをリモコンに設け、サービスマンがリモコンのリセットスイッチを押すことで、リモコンが室内リセッ
ト信号を室内機に送信し、室内リセット信号を受信した室内機が室外リセット信号を室外機に送信することで、室外機及び室内機の電源をリセットすることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の構成を示す概略図を示すものである。
【００１４】
図１において、１０は室外機であり、室外機１０には、室外リセットスイッチ１１と室外機ＣＰＵ１２と室外機異常検知部１３と室外機リセット信号送信部１４と室外機電源オフ部１５が設けられている。また、２０は室内機であり、室内機２０には、室内機ＣＰＵ２１と室内機リセット信号受信部２２と室内機電源オフ部２３が設けられている。
【００１５】
以上のように構成された空気調和機について、以下その動作、作用を説明する。
【００１６】
まず、室外機１０の室外機異常検知部１３が異常検知を行うことで、室外機異常検知部１３は室外機ＣＰＵ１２に異常信号を通知し、室外機ＣＰＵ１２はリセットスイッチ入力信号許可状態となる。次に室外リセットスイッチ１１が押されることで、室外リセットスイッチ１１は室外機ＣＰＵ１２にリセット入力信号を通知する。室外機ＣＰＵ１２はリセットスイッチ入力信号許可状態で室外リセットスイッチ１１からリセット入力信号を受けることで、室外機リセット信号送信部１４にリセット信号を送信すると共に、室外機電源オフ部１５に電源オフ信号を出力し、室外機の電源をリセットする。
【００１７】
また、室外機リセット信号送信部１４からリセット信号を受信した室内機リセット信号受信部２２は、室内機リセット信号を室内機ＣＰＵ２１に通知し、室内機リセット信号受信部２２から室内機リセット信号を受信した室内機ＣＰＵ２１は室内機電源オフ部２３に電源オフ信号を出力し、室内機の電源をリセットする。
【００１８】
以上のように、本実施の形態においては室外機にリセットスイッチを設けることにより、ブレーカを探すことなく、容易にサービス及びメンテナンス可能となる。
【００１９】
（実施の形態２）
図２は、本発明の第２の実施の形態における空気調和機の構成を示す概略図を示すものである。
【００２０】
図２において、１０は室外機であり、室外機１０には、室外機ＣＰＵ１２と室外機異常検知部１３と室外機リセット信号受信部１６と室外機電源オフ部１５と室外機異常送信部１７が設けられている。また、２０は室内機であり、室内機２０には、室内機ＣＰＵ２１と室内機電源オフ部２３と室内リセットスイッチ２４と室内機リセット信号送信部２５と室内異常受信部２６とが設けられている。
【００２１】
以上のように構成された空気調和機について、以下その動作、作用を説明する。
【００２２】
まず、室外機１０の室外機異常検知部１３が異常検知を行うことで、室外機異常検知部１３は室外機ＣＰＵ１２に異常信号を通知し、室外機ＣＰＵ１２は室外異常送信部１７に異常確定信号を通知することで、室外異常送信部１７は室内異常受信部２６に異常データを送信する。
【００２３】
また、室外異常送信部１７から異常データを受信した室内異常受信部２６は、室内ＣＰＵ２１にリセットスイッチ入力信号許可を通知し、室内機ＣＰＵ２１はリセットスイッチ入力信号許可状態となる。次にリセットスイッチ２４が押されることで、リセットスイッチ２４は室内機ＣＰＵ２１にリセット入力信号を通知する。室内機ＣＰＵ２１はリセットスイッチ入力信号許可状態でリセットスイッチ２４からリセット入力信号を受けることで、室内機リセット信号送信部２５にリセット信号を送信すると共に、室内機電源オフ部２３に電源オフ信号を出力し、室内機の電源をリセットする。
【００２４】
さらに、室内機リセット信号送信部２５は室外機リセット信号受信部１６からリセット信号を送信し、リセット信号を受信した室外機リセット信号受信部１６は、室外機ＣＰＵ１２にリセット許可信号を通知する。リセット許可信号を受けた室外機ＣＰＵ１２は室外機電源オフ部１５に電源オフ信号を出力し、室外機の電源をリセットする。
【００２５】
以上のように、本実施の形態においては室外機にリセットスイッチを設けることにより、ブレーカを探すことなく、容易にサービス及びメンテナンス可能となる。
【００２６】
（実施の形態３）
図３は、本発明の第３の実施の形態における空気調和機の構成を示す概略図を示すものである。
【００２７】
図３において、１０は室外機であり、室外機１０には、室外機ＣＰＵ１２と室外機異常検知部１３と室外機リセット信号受信部１６と室外機電源オフ部１５と室外機異常送信部１７が設けられている。また、２０は室内機であり、室内機２０には、室内機ＣＰＵ２１と室内機リセット信号受信部２２と室内機電源オフ部２３と室内機リセット信号送信部２５と室内異常受信部２６とが設けられている。また、３０はリモコンであり、リモコン３０には、リモコンＣＰＵ３１とリモコンリセットスイッチ３２と室内機リセット信号送信部３３とが設けられている。
【００２８】
以上のように構成された空気調和機について、以下その動作、作用を説明する。
【００２９】
まず、室外機１０の室外機異常検知部１３が異常検知を行うことで、室外機異常検知部１３は室外機ＣＰＵ１２に異常信号を通知し、室外機ＣＰＵ１２は室外異常送信部１７に異常確定信号を通知することで、室外異常送信部１７は室内異常受信部２６に異常データを送信する。
【００３０】
また、室外異常送信部１７から異常データを受信した室内異常受信部２６は、室内ＣＰＵ２１にリセット許可を通知し、室内機ＣＰＵ２１はリセット許可状態となる。
【００３１】
また、リモコン３０のリモコンリセットスイッチ３２が押されることで、リモコンリセットスイッチ３２はリモコンＣＰＵ３２にリセット入力信号を通知する。リモコンＣＰＵ３２はリモコンリセット信号送信部３３にリセット入力信号を送信し、リモコンリセット信号送信部３３はリモコンＣＰＵ３２からリセット入力信号を受信することで、室内リセット信号受信部２２にリセット信号を送信する。
【００３２】
また、リモコンリセット信号送信部３３からリセット入力信号を受信した室内リセット信号受信部２２は室内ＣＰＵ２１にリセット受信信号を送信し、リセット許可状態かつリセット受信信号を受信した室内ＣＰＵ２１は、室内機リセット信号送信部２５にリセット信号を送信すると共に、室内機電源オフ部２３に電源オフ信号を出力し、室内機の電源をリセットする。
【００３３】
さらに、室内機リセット信号送信部２５は室外機リセット信号受信部１６からリセット信号を送信し、リセット信号を受信した室外機リセット信号受信部１６は、室外機ＣＰＵ１２にリセット許可信号を通知する。リセット許可信号を受けた室外機ＣＰＵ１２は室外機電源オフ部１５に電源オフ信号を出力し、室外機の電源をリセットする。
【００３４】
以上のように、本実施の形態においてはリモコンにリセットスイッチを設けることにより、ブレーカを探すことなく、容易にサービス及びメンテナンス可能となる。
【産業上の利用可能性】
【００３５】
以上のように、本発明にかかる空気調和機における電源リセット方法は、空気調和機のブレーカを探す必要がなく、容易にサービス及びメンテナンス可能な電源リセットを可能とする。
【図面の簡単な説明】
【００３６】
【図１】本発明の実施の形態１における空気調和機の構成を示す概略図
【図２】本発明の実施の形態２における空気調和機の構成を示す概略図
【図３】本発明の実施の形態３における空気調和機の構成を示す概略図
【図４】従来の空気調和機の構成を示す概略図
【符号の説明】
【００３７】
１０  室外機
１１  室外リセットスイッチ
１２  室外機ＣＰＵ
１３  室外機異常検知部
１４  室外機リセット信号送信部
１５  室外機電源オフ部
１６  室外機リセット信号受信部
１７  室外異常送信部
２０  室内機
２１  室内機ＣＰＵ
２２  室内機リセット信号受信部
２３  室内機電源オフ部
２４  室内リセットスイッチ
２５  室内機リセット信号送信部
２６  室内異常受信部
３０  リモコン
３１  リモコンＣＰＵ
３２  リモコンリセットスイッチ
３３  リモコンリセット信号送信部
【図１】
2009068791.tif 000003
【図２】
2009068791.tif 000004
【図３】
2009068791.tif 000005
【図４】
2009068791.tif 000006